(57)【要約】      （修正有）【課題】魚釣用リールを提供する。【解決手段】魚釣用リールは、開口しているメインフレーム３と、メインフレームの両側板３２の開口端の間に挟まれ、中心軸孔５１を有する釣り糸リール５と、中心軸孔及び両側板の軸孔３３を挿通して釣り糸リールを回転可能に前記メインフレームの両側板の間に挟持するクリップ調節手段とを備え、前記メインフレームに釣り竿と接続する接続手段１が設けられている。こうして、クリップ調節手段によってメインフレームの釣り糸リールに対する挟持力を調節でき、釣り糸ホイールで釣り糸リールに装備された釣り糸を引っ張る時に、挟持力は釣り糸リールの回転に対してブレーキ作用を起こし、それによって釣り糸に不変な張力を与え、釣り糸ホイールに案内される全過程において釣り糸のきつさを均一且つ適切に保ち、釣り糸の材質、太さ及び操作者の経験を問わずに、操作者は釣り糸の案内操作を独立で楽にでき、案内される釣り糸のきつさの適切性が保証される。【選択図】図３
0003208137.tif 000002
【実用新案登録請求の範囲】
【請求項１】
魚釣用リールであって、開口しているメインフレーム（３）と、メインフレーム（３）の両側板（３２）の開口端の間に挟まれ、中心軸孔（５１）を有する釣り糸リール（５）と、前記中心軸孔（５１）及び両側板（３２）の軸孔（３３）を挿通して前記釣り糸リール（５）を回転可能に前記メインフレーム（３）の両側板（３２）の間に挟持するクリップ調節手段（４）とを備え、前記メインフレーム（３）に釣り竿と接続する接続手段（１）が設けられていることを特徴とする魚釣用リール。
【請求項２】
前記クリップ調節手段（４）は、前記中心軸孔（５１）と側板軸孔を挿通する中心軸（４３）と、前記メインフレーム（３）の一方の側板に当接する中心軸端面（４２）と、調節ボルトと（４５）とを備え、前記中心軸（４３）にねじ山中心孔（４１）が設けられ、前記調節ボルト（４５）は前記メインフレーム（３）の他方の側板に軸孔を挿通して前記ねじ山中心孔（４１）内に回転して挿入し、前記メインフレーム（３）の両側板（３２）の前記釣り糸リール（５）に対する挟持力を調節することを特徴とする請求項１に記載の魚釣用リール。
【請求項３】
前記中心軸の端面（４２）から位置決め突起（４４）が延出して形成され、前記メインフレーム（３）の一方の側板に前記位置決め突起（４４）と合わせる位置決め溝（３１）が設けられていることを特徴とする請求項２に記載の魚釣用リール。
【請求項４】
前記調節ボルト（４５）の端面に手持ち部（４６）が設けられていることを特徴とする請求項１〜３の何れか１項に記載の魚釣用リール。
【請求項５】
釣り糸リールの中心軸孔（５１）とメインフレーム（３）の両側板（３２）の貼合せ面の間に摩擦シート（２）が設けられていることを特徴とする請求項１〜３の何れか１項に記載の魚釣用リール。
【請求項６】
前記釣り竿と接続する接続手段（１）は、前記メインフレーム（３）の上部に設けられた接続ホックであることを特徴とする請求項１〜３の何れか１項に記載の魚釣用リール。
【考案の詳細な説明】
【技術分野】
【０００１】
本考案は魚釣用具、特に魚釣用リールに関する。
【背景技術】
【０００２】
現代社会の生活ペースが速くなるにつれて、魚釣りという心身をリラックスできるレクリエーション活動を好きになる人はますます増えている。魚釣りの方法は様々で、その中の１つは投げ釣りであり、釣竿に固定された釣り糸ホイールで長い釣り糸を装備し、釣り糸の末端にある重いもの（例えば、重り或いは餌など）を利用し、ある程度の投げる力及び釣竿の弾性による作用で、餌を遠いところに投げ、又は直接に船（筏）で重りの自重を利用し、釣り糸の回収・放出によって釣り糸の末端が至る深度を制御する。上記魚釣りの方法により、魚群を探す深度と範囲を増大させると共に、釣り場の状況によって安全、快適な操作場所を選択することもでき、魚釣りの楽しさを向上させた他に、危険及び意外事件の発生も直接に防止した。そのため、この投げ釣り方法は全世界の魚釣りファンから愛されている。
【０００３】
釣竿は魚釣りの通常の用具であり、釣竿には釣り針と釣り糸ホイールなどの基本部品が配置されている。魚釣りする前に、釣り糸を釣り糸ホイールに案内しなければならず、該案内過程において、釣り糸の張力を適切に制御しなければならない。張力が大きすぎで、あまりきつく巻き付けると、釣り糸は長時間にわたって力を受け、応力により変形し、釣り糸自体はバネのように曲がってしまって、投げる時の釣り糸放出の円滑性に影響を与えると共に、釣り糸の元の強度も破壊し、魚釣りする時に釣り糸が切れて魚に逃げられることなどが発生しやすくなる。張力が小さすぎて、あまりに緩く巻き付けると、外回りの釣り糸は投げられる時に、又は力を受ける時に、内周りの釣り糸の隙間に嵌りこみ、投げる時の釣り糸の乱れが発生し、この状況が軽微である場合、乱れた釣り糸を根気よく整理すればよいが、この状況が厳重である場合、釣り糸の整理が不可能となり、それを切り離さなければ、釣り糸と釣り糸ホイールは引き続き正常に作動できない。
【０００４】
釣り糸を釣り糸ホイールに案内する時に適切な張力制御が必要であり、伝統的な巻き付け方法は大体下記２つがある。即ち、１人が釣り糸を釣り糸ホイールに巻き付け、もう１人は釣り糸リールを把持し、釣り糸リールの釣り糸放出のスピードを制御することにより、巻き付ける釣り糸の張力を制御する２人協力操作の方法と、釣り糸リールをある箇所に平らに置き、一方の手で釣り糸を握って巻き付けの張力を制御し、他方の手で釣り糸を釣り糸ホイールに巻き付ける１人操作の方法である。上記２つの方法において、巻き付ける釣り糸の張力は何れも手で制御され、その均一性を保つことが難しいから、案内される釣り糸のきつさが異なる可能性がある。また、材質、太さが異なる釣り糸を案内する場合、所要の巻く付けの張力も異なるから、適切な力を把握することがもっと難しい。以上により、巻き付け操作が高く要求され、操作者は豊富な操作経験を有しなければ、釣り糸をうまく案内することができない。
【考案の概要】
【考案が解決しようとする課題】
【０００５】
従来技術に存在する不足を解消するために、本考案は魚釣用リールを提供し、該魚釣用リールにより、釣り糸を釣り糸ホイールに案内することが便利となり、伝統的な操作による張力が均一ではないという課題が効果的に解決され、案内された釣り糸のきつさが適切で、操作も簡単、便利である。
【課題を解決するための手段】
【０００６】
本考案において、技術的課題を解決するために採用される技術案は下記通りである。  
【０００７】
該魚釣用リールは、開口しているメインフレームと、メインフレームの両側板の開口端の間に挟まれ、中心軸孔を有する釣り糸リールと、前記中心軸孔及び両側板の軸孔を挿通して前記釣り糸リールを回転可能に前記メインフレームの両側板の間に挟持するクリップ調節手段とを備え、前記メインフレームに釣り竿と接続する接続手段が設けられている。
【０００８】
前記クリップ調節手段は、前記中心軸孔と側板軸孔を挿通する中心軸と、前記メインフレームの一方の側板に当接する中心軸端面と、調節ボルトとを備え、前記中心軸にねじ山中心孔が設けられ、前記調節ボルトは前記メインフレームの他方の側板に軸孔を挿通して前記ねじ山中心孔内に回転して挿入し、前記メインフレームの両側板の前記釣り糸リールに対する挟持力を調節する。
【０００９】
前記中心軸端面から位置決め突起が延出して形成され、前記メインフレームの一方の側板に前記位置決め突起と合わせる位置決め溝が設けられている。
【００１０】
前記調節ボルトの端面に手持ち部が設けられている。
【００１１】
前記釣り糸リールの中心軸孔と前記メインフレームの両側板の貼合せ面の間に摩擦シートが設けられている。
【００１２】
前記釣り竿と接続する接続手段は、前記メインフレームの上部に設けられた接続ホックである。
【考案の効果】
【００１３】
本考案の有益な効果は下記通りである。即ち、本考案のクリップ調節手段は釣り糸リールの中心軸孔及び両側板の軸孔を挿通して釣り糸リールを回転可能にメインフレームの両側板の間に挟持し、メインフレームは接続手段によってその位置が釣り竿に固定された後、クリップ調節手段によってメインフレームの釣り糸リールに対する挟持力を調節でき、釣り糸ホイールで釣り糸リールに装備された釣り糸を引っ張る時に、メインフレームの釣り糸リールに対する挟持力は釣り糸リールの回転に対してブレーキ作用を起こし、それによって釣り糸に不変な張力を与え、釣り糸ホイールに案内される全過程において釣り糸のきつさを均一且つ適切に保ち、釣り糸の材質、太さ及び操作者の経験を問わずに、操作者は釣り糸の案内操作を独立して楽にでき、案内される釣り糸のきつさの適切性が保証され、その後の使用操作の効率と快適さが向上する。
【００１４】
次は図面と実施例によって本考案を更に説明する。
【図面の簡単な説明】
【００１５】
【図１】本考案の魚釣用リールが釣竿に掛けられた使用状態の概略図である。
【図２】本考案の１つの実施例の構造全体の概略図である。
【図３】図２の分解図である。
【図４】図２の断面図である。
【図５】本考案のもう１つの実施例の概略図である。
【図６】本考案の３番目の実施例の概略図である。
【考案を実施するための形態】
【００１６】
図１、図２、図３、図４に示すように、該魚釣用リールは、開口しているメインフレーム３と、メインフレーム３の両側板３２の開口端の間に挟まれ、中心軸孔５１を有する釣り糸リール５と、前記中心軸孔５１及び両側板３２の軸孔３３を挿通して前記釣り糸リール５を回転可能に前記メインフレーム３の両側板３２の間に挟持するクリップ調節手段４とを備え、前記メインフレーム３に釣り竿と接続する接続手段１が設けられている。
【００１７】
本考案のクリップ調節手段４は、釣り糸リール５の中心軸孔５１と両側板３２の軸孔３３を挿通して釣り糸リール５を回転可能にメインフレーム３の両側板３２の間に挟持し、メインフレーム３は接続手段１によってその位置が釣り竿に固定された後、クリップ調節手段４によってメインフレーム３の釣り糸リール５に対する挟持力を調節でき、釣り糸ホイール６で釣り糸リール５に装備された釣り糸を引っ張る時に、メインフレーム３の釣り糸リール５に対する挟持力は釣り糸リール５の回転に対してブレーキ作用を起こし、それによって釣り糸に不変な張力を与え、釣り糸ホイール６に案内される全過程において釣り糸のきつさを均一且つ適切に保ち、釣り糸の材質、太さ及び操作者の経験を問わずに、操作者は釣り糸の案内操作を独立で楽にでき、案内される釣り糸のきつさの適切性が保証され、その後の使用操作の効率と快適さが向上する。
【００１８】
前記クリップ調節手段４は多種の設計を有してもよく、本考案の望ましい実施形態として、本実施例におけるクリップ調節手段４は、前記中心軸孔５１と側板軸孔を挿通する中心軸４３と、前記メインフレーム３の一方の側板に当接する中心軸端面４２と、調節ボルトと４５とを備え、前記中心軸４３にねじ山中心孔４１が設けられ、前記調節ボルト４５は前記メインフレーム３の他方の側板に軸孔を挿通して前記ねじ山中心孔４１内に回転して挿入し、前記メインフレーム３の両側板３２の前記釣り糸リール５に対する挟持力を調節する。
【００１９】
図５に示すように、クリップ調節手段は以下の構造であってもよい。即ち、スクリュー７は前記中心軸孔５１を挿通し、ロックナット８と連携して釣り糸リール５をメインフレームの両側板３２の間に挟持し、ロックナット８のスクリュー７に対して回転して嵌る深さを調整することにより、前記メインフレーム３の両側板３２の前記釣り糸リール５に対する挟持力を調節する。
【００２０】
以上挙げた実施例は本考案の望ましい実施例であり、本考案の保護範囲を制限するものではなく、基本的に同様な技術手段によって本考案の技術的目的を実現した全ての他の実施例は、何れも本考案の保護範囲に入る。
【００２１】
前記中心軸の端面４２から位置決め突起４４が延出して形成され、前記メインフレーム３の一方の側板に前記位置決め突起４４と合わせる位置決め溝３１が設けられている。組み立てる時に、位置決め突起４４をメインフレーム３の一方の側板の軸孔の位置決め溝３１に係合し、中心軸４３をメインフレーム３に対して固定し、こうして、釣り糸を引っ張ると、釣り糸リール５は中心軸４３回りに回転できる。又は、図６に示すように、中心軸４３にキー９が設けられ、中心軸孔５１にキー９と合わせるキー溝５２が設けられている。組み立てる時に、キー９を中心軸孔５１のキー溝５２に係合し、中心軸４３を釣り糸リール５に対して固定し、こうして、釣り糸を引っ張ると、中心軸４３は釣り糸リール５と共にメインフレーム３における軸孔３３回りに回転できる。
【００２２】
前記調節ボルト４５の端面に手持ち部４６が設けられ、該手持ち部４６により、操作者は、調節ボルト４５の回転して嵌る深さを便利に調整でき、それによってメインフレーム３の釣り糸リール５に対する挟持力を変更し、釣り糸ホイール６を回す時に釣り糸に与える張力を制御する。
【００２３】
釣り糸リールの中心軸孔５１とメインフレーム３の両側板の貼合せ面の相互の摩損を防止し、摩擦力をよりよく生じさせるために、両者の貼合せ面の間に摩擦シート２が設けられている。釣り糸ホイール６で釣り糸リール５に装備された釣り糸を引っ張る時に、該摩擦シート２は釣り糸リール５に対してブレーキ作用を起こす。その使用効果を保証するように、長期間使用して摩擦シートが摩損したら、交換することができる。
【００２４】
メインフレーム３に、釣り竿と接続する接続手段１が設けられ、手で釣り糸リールを把持して釣り糸の案内を行う従来の操作の代わりに、該接続手段１によってメインフレーム３の釣り竿における位置を固定して釣り糸の案内を行うことができる。本実施例において、該接続手段はメインフレーム３の上部に設けられた接続ホックであり、接続ホックによってメインフレーム３を直接に釣り竿の案内リングに掛けることができ、手の代わりに釣り糸リールを固定できると共に、釣り竿における既存の案内リングの構造を利用するため、実施が簡単、便利となる。
【００２５】
本考案の魚釣用リールの構造が簡単で、該魚釣用リールによって釣り糸ホイールへの釣り糸の案内が便利となり、伝統的な操作による張力が不均一という課題を効果的に解決し、該魚釣用リールによって案内した釣り糸のきつさは適切で、操作も簡単、便利である。
【図１】
0003208137.tif 000003
【図２】
0003208137.tif 000004
【図３】
0003208137.tif 000005
【図４】
0003208137.tif 000006
【図５】
0003208137.tif 000007
【図６】
0003208137.tif 000008